(57)【要約】【課題】従来の床支持構造に比べて構造が複雑化することなく、しかも施工が容易でありながら、支持強度をさらに高めることができるブレース固定金具及び該ブレース固定金具を用いた床支持構造を提供すること。【解決手段】本発明に係るブレース固定金具は、床支持脚に固定するための支持脚取付孔を備えた平板状の支持部と、該支持部の左右両側辺から、それぞれ略垂直に下方にのびる鉛直面部と、各鉛直面部の両側辺から、さらに前記支持部における左右方向に沿って、それぞれ外方に並行に伸びる一対のブラケットとを一体的に形成して成り、前記ブラケットにブレース取付孔を設け、各ブラケット間で、少なくとも対向する一対の側面を有するブレース材の前記一対の側面を挟持した状態で、前記ブレース材を前記ブレース取付孔を介して止着具によって一対のブラケットに固定することができるように構成されている。【選択図】図５
2020002691.tif 000002
【特許請求の範囲】
【請求項１】
床支持脚に固定するための支持脚取付孔を備えた平板状の支持部と、
該支持部の左右両側辺から、それぞれ略垂直に下方にのびる鉛直面部と、
各鉛直面部の両側辺から、さらに前記支持部における左右方向に沿って、それぞれ外方に並行に伸びる一対のブラケットと
を一体的に形成して成り、
前記ブラケットにブレース取付孔を設け、
各ブラケット間で、少なくとも対向する一対の側面を有するブレース材の前記一対の側面を挟持した状態で、前記ブレース材を前記ブレース取付孔を介して止着具によって一対のブラケットに固定することができるように構成した
ことを特徴とするブレース固定金具。
【請求項２】
各ブラケットに、複数のブレース取付孔をマトリックス状に配置した
ことを特徴とする請求項１に記載のブレース固定金具。
【請求項３】
ブレース固定金具における同側にある左右のブラケットを連結する平板状の補強連結板をさらに備えている
ことを特徴とする請求項１又は２に記載のブレース固定金具。
【請求項４】
基礎面に並設される複数の床支持脚のうち特定の床支持脚と基礎面との間に、ブレース材を取り付ける床支持構造において、
前記床支持脚が、大引材を装着支持するＵ字状、Ｌ字状又は平板状の受け部材と、前記大引材を受け部材と共に支持する支柱部とから成り、前記受け部材と前記支柱部との間に請求項１〜３の何れか一項に記載のブレース固定金具から成る上部ブレース固定金具を固定し、
前記基礎面上に、底板部と底板部の両側辺から上方に向けて伸びる一対のブレース取付孔を備えたブラケットを有する下部ブレース固定金具を固定し、
前記上部ブレース固定金具のブラケット間及び前記下部ブレース固定金具のブラケット間で、それぞれ、少なくとも対向する一対の側面を有するブレース材の両端部の前記一対の側面を挟持した状態で、前記ブレース材を、各ブラケットのブレース取付孔を介して止着具によって一対のブラケットに固定して成る
ことを特徴とする床支持構造。
【請求項５】
前記上部ブレース固定金具を、大引材の長手方向に直交する方向に、そのブラケットが位置するよう前記床支持脚に固定し、
前記下部ブレース固定金具を、基礎面上における大引材の長手方向と直交する方向の所定位置に固定して成る
ことを特徴とする請求項４に記載の床支持構造。
【請求項６】
前記上部ブレース固定金具を、大引材の長手方向に沿って、そのブラケットが位置するよう前記床支持脚に固定し、
前記下部ブレース固定金具を、基礎面上における大引材の長手方向と同方向の所定位置に固定して成る
ことを特徴とする請求項４に記載の床支持構造。
【請求項７】
前記下部ブレース固定金具のブラケットの少なくとも一方の側辺と水平面との間の角度が６０°以下である
ことを特徴とする請求項４〜６の何れか一項に記載の床支持構造。
【請求項８】
前記下部ブレース固定金具のブラケットにおける両側辺と水平面との間の角度が異なる角度である
ことを特徴とする請求項７に記載の床支持構造。
【請求項９】
前記下部ブレース固定金具のブラケットにおける一方の側辺と水平面との間の角度が４５°であり、他方の側辺と水平面との間の角度が６０°である
ことを特徴とする請求項８に記載の床支持構造。
【発明の詳細な説明】
【技術分野】
【０００１】
本発明は、床支持強度を高めるために使用されるブレース材を固定するためのブレース固定金具及び該ブレース固定金具を用いた床支持構造に関する。
【背景技術】
【０００２】
従来から、床スラブ上に床支持脚を介して大引材を配置し、該大引材に根太材及び床板を設けて成る床支持構造において、支持強度を上げるために、床支持脚間又は床支持脚とスラブとの間に、斜材としてブレース材を設けることが行われている（特許文献１参照）。
特許文献１における床支持構造では、床支持脚の上部及びスラブ上にそれぞれブラケットを設け、これらブラケット間にブレースを設けることにより、床支持強度を上げる構造が開示されている。
この床支持構造では、床支持脚における支柱部を構成する支持ボルトと大引材を弾性支持する受け部材との間に、ブレース固定用のブラケットを設けているため、床板の弾性支持力を低減させることなく、床支持強度を上げることができるという利点を有する。
【先行技術文献】
【特許文献】
【０００３】
【特許文献１】特許5112717号公報
【特許文献２】実用新案登録第2600408号公報
【発明の概要】
【発明が解決しようとする課題】
【０００４】
ところで、上記した特許文献１においても、そうであるが、従来から斜材として用いるブレース材は、両端に羽子板ボルト等の羽子板状部分を設けて成るブレース材が一般的に使用されている（特許文献２）。
そして、上記したブレース材は、その両端の羽子板状部分を平板から成るブレラケットにボルトで固定することによって使用される。
発明者等は、耐震構造を高める必要性がある現在において、羽子板状部を平板から成るブレケットに固定する従来の床支持構造よりも、さらに支持強度を高めることを目的として鋭意研究を重ね、従来の床支持構造に比べて構造が複雑化することなく、しかも施工が容易でありながら、支持強度をさらに高めることができるブレース固定金具及び該ブレース固定金具を用いた床支持構造を発明するに至った。
【課題を解決するための手段】
【０００５】
本発明に係るブレース固定金具は、床支持脚に固定するための支持脚取付孔を備えた平板状の支持部と、該支持部の左右両側辺から、それぞれ略垂直に下方にのびる鉛直面部と、各鉛直面部の両側辺から、さらに前記支持部における左右方向に沿って、それぞれ外方に並行に伸びる一対のブラケットとを一体的に形成して成り、前記ブラケットにブレース取付孔を設け、各ブラケット間で、少なくとも対向する一対の側面を有するブレース材の前記一対の側面を挟持した状態で、前記ブレース材を前記ブレース取付孔を介して止着具によって一対のブラケットに固定することができるように構成したしたことを特徴とする。
また、上記したブレース固定金具においては、各ブラケットに、複数のブレース取付孔をマトリックス状に配置することができる。
さらに、ブレース固定金具における同側にある左右のブラケットを連結する平板状の補強連結板をさらに設けてもよい。
また、本発明に係る床支持構造は、基礎面に並設される複数の床支持脚のうち特定の床支持脚と基礎面との間に、ブレース材を取り付ける床支持構造において、前記床支持脚が、大引材を装着支持するＵ字状、Ｌ字状又は平板状の受け部材と、前記大引材を受け部材と共に支持する支柱部とから成り、前記受け部材と前記支柱部との間に上記ブレース固定金具から成る上部ブレース固定金具を固定し、前記基礎面上に、底板部と底板部の両側辺から上方に向けて伸びる一対のブレース取付孔を備えたブラケットを有する下部ブレース固定金具を固定し、前記上部ブレース固定金具のブラケット間及び前記下部ブレース固定金具のブラケット間で、それぞれ、少なくとも対向する一対の側面を有するブレース材の両端部の前記一対の側面を挟持した状態で、前記ブレース材を、各ブラケットのブレース取付孔を介して止着具によって一対のブラケットに固定して成ることを特徴とする。
上記した床支持構造では、前記上部ブレース固定金具を、大引材の長手方向に直交する方向に、そのブラケットが位置するよう前記床支持脚に固定し、前記下部ブレース固定金具を、基礎面上における大引材の長手方向と直交する方向の所定位置に固定してもよい。
また、上記床支持構造では、前記上部ブレース固定金具を、大引材の長手方向に沿って、そのブラケットが位置するよう前記床支持脚に固定し、前記下部ブレース固定金具を、基礎面上における大引材の長手方向と同方向の所定位置に固定してもよい。
さらに、上記床支持構造においては、前記下部ブレース固定金具のブラケットの少なくとも一方の側辺と水平面との間の角度が６０°以下であり得る。
また、前記下部ブレース固定金具のブラケットにおける両側辺と水平面との間の角度を異なる角度にしてもよい。この場合、例えば、前記下部ブレース固定金具のブラケットにおける一方の側辺と水平面との間の角度が４５°であり、他方の側辺と水平面との間の角度が６０°であり得る。
【発明の効果】
【０００６】
本発明に係るブレース固定金具は、床支持脚に固定するための支持脚取付孔を備えた平板状の支持部と、該支持部の左右両側辺から、それぞれ略垂直に下方にのびる鉛直面部と、各鉛直面部の両側辺から、さらに前記支持部における左右方向に沿って、それぞれ外方に並行に伸びる一対のブラケットとを一体的に形成して成り、前記ブラケットにブレース取付孔を設け、各ブラケット間で、少なくとも対向する一対の側面を有するブレース材の前記一対の側面を挟持した状態で、前記ブレース材を前記ブレース取付孔を介して止着具によって一対のブラケットに固定することができるように構成しているので、強度の高い角鋼、Ｈ形鋼、Ｃ形鋼、丸鋼等から成る一対の側面を有する材料をブレース材として使用することが可能になり床の支持強度を上げることができる。また、本発明に係るブレース固定金具は、羽子板部を一枚のブラケットにボルトで固定する場合に比べて、二枚のブラケットでブレース材の一対の側面を挟持した状態で固定することができるので、ブレース材の連結部における強度があがる。さらに、本発明に係るブレース固定金具は、その支持部を平板状に形成し、かつ、支持脚取付孔を設けることにより、床支持脚における大引材の受け部材と支持柱との間に取り付けて使用することができるように構成しているので、受け部材の下方でブレース材を固定することができ、それにより、受け部材が大引材を弾性支持することができるように構成されている場合であっても、その弾性支持力を残したまま床の支持強度を上げることができる。さらにまた、特別な加工をすることなく角鋼等の一対に側面を有する材料をブレース材として使用することが可能になるので、コストを抑えることも可能になる。
また、各ブラケットに、複数のブレース取付孔をマトリックス状に設けることにより、ブレース材をどのような角度でブレース固定金具のブラケット間に配置しても、ブレース取付孔がブレース材の前記側面と対面するように構成しているので、ブレース材を固定する角度を自由に選択することが可能になり、施工が容易になる。
また、ブレース固定金具における同側にある左右のブラケットを連結する平板状の補強連結板をさらに設けることにより、ブレース固定金具におけるブラケットの強度を高めることができる。
本発明に係る床支持構造は、基礎面に並設される複数の床支持脚のうち特定の床支持脚と基礎面との間に、ブレース材を取り付ける床支持構造において、前記床支持脚が、大引材を装着支持するＵ字状、Ｌ字状又は平板状の受け部材と、前記大引材を受け部材と共に支持する支柱部とから成り、前記受け部材と前記支柱部との間に上記ブレース固定金具から成る上部ブレース固定金具を固定し、前記基礎面上に、底板部と底板部の両側辺から上方に向けて伸びる一対のブレース取付孔を備えたブラケットを有する下部ブレース固定金具を固定し、前記上部ブレース固定金具のブラケット間及び前記下部ブレース固定金具のブラケット間で、それぞれ、少なくとも対向する一対の側面を有するブレース材の両端部の前記一対の側面を挟持した状態で、前記ブレース材を、各ブラケットのブレース取付孔を介して止着具によって一対のブラケットに固定して成る。このように、本発明に係る床支持構造は、上部ブレース固定金具と、下部ブレース固定金具が、各々一対のブラケットを備え、各固定金具のブラケット間でブレース材の前記一対の側面を挟持した状態で固定するので、羽子板部を一枚のブラケットにボルト等で固定する場合に比べて、ブレース材の連結部における強度あがる。これに加えて、強度の高い角鋼、Ｈ形鋼、Ｃ形鋼、丸鋼等から成る一対の側面を有する材料をブレース材として使用することができるので、ブレース材そのものの強度が高いことも相まって、床の支持強度が高くなる。
また、上記床支持構造において、前記上部ブレース固定金具を、大引材の長手方向に直交する方向に、そのブラケットが位置するよう前記床支持脚に固定し、前記下部ブレース固定金具を、基礎面上における大引材の長手方向と直交する方向の所定位置に固定することで、大引材がその長手方向と直交する方向に揺れる振動を防止することができる。
さらに、上記床支持構造において、前記上部ブレース固定金具を、大引材の長手方向に沿って、そのブラケットが位置するよう前記床支持脚に固定し、前記下部ブレース固定金具を、基礎面上における大引材の長手方向と同方向の所定位置に固定することで、大引材がその長手方向に揺れる振動を防止することができる。
さらに、上記床支持構造において、前記下部ブレース固定金具のブラケットの少なくとも一方の側辺と水平面との間の角度を６０°以下とすることで、ブレース材を固定する時にブレース材を下部ブレース固定金具のブラケットの傾斜に沿って配置するだけで、ブレース材を一定の角度で配置することが容易になる。これにより施工容易性を非常に高めることが可能になる。
また、前記下部ブレース固定金具のブラケットにおける両側辺と水平面との間の角度を異なる角度にし、例えば、前記下部ブレース固定金具のブラケットにおける一方の側辺と水平面との間の角度を４５°とし、他方の側辺と水平面との間の角度を６０°とすることで、一つの下部ブレース固定金具を用いて、４５°又は６０°の角度でブレース材を容易に固定することができるようになる。
【図面の簡単な説明】
【０００７】
【図１】本発明に係るブレース固定金具の正面図である。
【図２】図１に示したブレース固定金具の平面図である。
【図３】図１に示したブレース固定金具の底面図である。
【図４】図１に示したブレース固定金具の斜視図である。
【図５】本発明に係る床支持構造の一実施例を示す図である。
【図６】床支持脚と上部ブレース固定金具の連結部の詳細を示す一部断面拡大図である。
【図７】下部ブレース固定金具の正面図である。
【図８】図７に示したブレース固定金具の平面図である。
【図９】図７に示したブレース固定金具の底面図である。
【図１０】図７に示したブレース固定金具の斜視図である。
【図１１】図１に示したブレース固定金具と補強連結板とを示す斜視図である。
【図１２】図１に示したブレース固定金具に補強連結板を取り付けた状態を示す斜視図である。
【発明を実施するための形態】
【０００８】
以下、添付図面に示した一実施例を参照して、本発明に係るブレース固定金具及び該ブレース固定金具を用いた床支持構造の実施の形態を説明していく。
【０００９】
図１〜図４は、本発明に係るブレース固定金具の正面図、平面図、底面図及び斜視図を各々示している。
図面に示すように、この実施例におけるブレース固定金具１は、一枚の鋼板を折り曲げ加工して形成されたものである。
ブレース固定金具１は、平板状の支持部２と、該支持部２の左右両側辺から、それぞれ略垂直に下方にのびる鉛直面部３，３と、各鉛直面部３，３の両側辺から、さらに前記支持部２における左右方向に沿って、それぞれ外方に並行に伸びる一対のブラケット４，４とを折り曲げ加工により一体的に形成して成る。
支持部２には、後述する床支持脚に固定するための支持脚取付孔２ａが形成されており、各ブラケット４には、複数（この実施例では９つ）のブレース取付孔５がマトリックス状に形成されている。
一対のブラケット４，４間の距離Ｔは、ブレース材として使用する少なくとも一対の側面を有する材料における前記一対の側面間の幅に合わせて寸法決めされている。
上記したように構成することにより、ブレース材の一対の側面を一対のブラケット４間で挟んで保持した状態で、該ブレース材を、任意のブレース取付孔５を使用してボルト又はビス等の適当な止着具で一対のブラケット４に固定することができる。ここで、少なくとも一対の側面を有する材料としては、具体的には、例えば、角鋼、Ｈ形鋼、Ｃ形鋼又は丸鋼等の鋼材が挙げられ、これらの材料は、従来使用されてきた両端に羽子板状部を有するブレース材に比べて、それ自身の強度が高い。また、ブレース材を一対のブラケット４間で挟んで両側から固定することにより、一枚のブラケットに羽子板状部を固定していた従来のブレース材に比べて連結部の支持強度が高くなる。従って、床支持構造全体の支持強度を上げることが可能になる。また、床支持構造の支持強度を上げるために特別な構造のブレース材を使用する必要がなく、一般的な角鋼、Ｈ形鋼、Ｃ形鋼又は丸鋼等の材料を使用することができるので、コストが上がることがない。
さらに、ブラケット４に複数のブレース取付孔５をマトリックス状に配置することにより、ブレース材がどのような角度で、ブラケット４間に配置されても、必ず少なくとも一つのブレース取付孔５がブレース材と対面するようになるので、ブレース材の取付も容易になる。
【００１０】
以下、上記したように構成されたブレース固定金具を上部ブレース固定金具として使用した床支持構造について説明していく。
【００１１】
図５は、本発明に係る床支持構造の一実施例を示す図であり、図６は、床支持脚と上部ブレース固定金具の連結部の詳細を示す一部断面拡大図である。
この実施例における床支持構造は、
基礎面としての床スラブ１０に併設される複数の床支持脚２０と、
これら床支持脚２０により下方から支持される複数の大引材１１と、
一端が任意の床支持脚２０の上部に固定され、他端が床スラブ１０に固定されるブレース材１２と、
前記ブレース材１２を床支持脚２０に固定するための上部ブレース固定金具１と、
前記ブレース材１２を床スラブ１０に固定するための下部ブレース固定金具３０と
を備えている。
前記大引材１２の上には根太材１３が配置され、根太材１３の上には床板（図示せず）が敷設されている。
尚、この実施例で使用されるブレース材も、少なくとも一対の側面を有する材料であり、これは例えば、角鋼、Ｈ形鋼、Ｃ形鋼又は丸鋼等から成る。
【００１２】
上記床支持脚２０は、
筒状の支持台２１、該支持台２１の上部に取り付けられる連結部材２２及び該連結部材２２に略垂直方向に立てて固定される支持ボルト２３から成る支柱部２４と、
支持ボルト２３の上部に固定される受け部材２５と、
受け部材２５に設けられた弾性部材２６と、
ボルト及びナットとから成る締結具２７と
を有する。
前記締結具２７は、受け部材２５に大引材１１を嵌めた後に、受け部材２５の両側板の上部を締結する部材である。
前記支持台２１は、鋼製の筒体から成り、その下端部には平板状の台座部２８が設けられている。
【００１３】
前記受け部材２５は、この実施例ではＵ字状に形成されており、その底板部２５ａの中央部分には、バーリング加工により下方に筒状に突出する突孔部２５ｂが形成され、該突孔部２５ｂの内側には、上記支持ボルト２３が螺合可能なネジ溝が形成されている。前記突孔部２５ｂの突出部分の長さは、好ましくは、上部ブレース固定金具１の支持部２の厚さと同じか、それより短くされる。
【００１４】
上部ブレース固定金具１は、上記したように構成された床支持脚２０における受け部材２５の下方に固定される。
具体的には、上部ブレース固定金具１は、その支持部２が上側に位置する状態で、支持部２の支持脚取付孔２ａ内に、前記受け部材２５の突孔部２５ｂを嵌入させ、床支持脚２０の支持ボルト２３の上端部を前記突孔部２５ｂに螺合し、ワッシャー（符号なし）を介して締結ナット２９で締結することにより、受け部材２５の裏面に固定される。
【００１５】
次に、床スラブ１０に固定される下部ブレース固定部材３０について説明していく。
図７〜図１０は、床スラブ１０に固定される下部ブレース固定金具の正面図、平面図、底面図及び斜視図を各々示している。
図面に示すように、下部ブレース固定金具３０は、床スラブ１０に固定される底板部３１と、底板部３１の前後方向両側辺から上方に伸びる一対のフランジ部３２と、各フランジ部３２の左右方向略中央付近から、右斜め上方に向けてさらに伸びる一対のブラケット３３とを折り曲げ加工により一体成形したものである。
前記各ブラケット３３は、その右側辺３３ａと水平線Ｈとの間の角度αが４５°となり、その左側辺３３ｂと水平線Ｈとの角度βが６０°となるように形成されており、各ブラケット３３には、複数（本実施例では３つ）のブレース取付孔３４が形成されている。
さらに、底板部３１にも、複数（本実施例では３つ）の取付孔３１ａが形成されており、この取付孔３１ａを介して、下部ブレース固定金具３０は床スラブ１０にボルトやビス等の適当な止着具で固定される。
上記したように構成された下部ブレース固定金具３０は、そのブラケット３３における右側辺３３ａと水平線Ｈとの間の角度αを４５°とし、左側辺３３ｂと水平線Ｈとの間の角度βを６０°としているので、ブレース材を、例えば、右側辺３３ａに沿って配置してブラケット３３に固定した場合には、ブレース材を床スラブ１０に対して４５°の角度で固定することが可能になり、左側辺３３ｂに沿って配置してブラケット３３に固定すれば、ブレース材を床スラブ１０に対して６０°の角度で固定することができる。これら４５°及び６０°は、斜材としてのブレース材の配置角度に適した角度である。従って、上記したように構成された下部ブレース固定金具３０によれば、予め下部ブレース固定金具３０の床スラブ１０に対する固定位置を決めておくだけで、簡単にブレース材を好ましい角度で取り付けることが可能になり、施工が著しく容易になる。尚、この下部ブレース固定金具３０におけるブラケット３３の両側辺と水平線との角度は、任意に設定することができ、例えば、右側辺及び左側辺とも水平線に対して同じ角度であってもよく、また、４５°及び６０°以外の角度の組み合せであってもよい。具体的には、例えば、一方の側辺と水平線との間の角度を３０°になるようにブラケット３３を形成してもよい。
【００１６】
上記したように床支持脚２０に固定された上部ブレース固定金具１のブラケット４間と、床スラブ１０に固定された下部ブレース固定金具３０のブラケット３３間とに、その側面１２ａが挟持されるようにブレース材１２の上端部及び下端部を配置した状態で、ブレース取付孔５，３４を介してボルト又はビス等の適当な止着具によりブラケット４及び３３にブレース材１２が固定される。これにより、ブレース材１２は、その上端及び下端において、その両側面１２ａが一対のブラケット４及び３３間に挟まれた状態で固定されることになる。
【００１７】
上記した実施例では、上部ブレース固定金具１は、大引材１１の長手方向に対して直交する方向に、そのブラケット４が位置するように、床支持脚２０に固定されており、これにより、大引材１１がその長手方向と直交する方向に揺れる振動を防止することができる。
【００１８】
上部ブレース固定金具１の固定方向は、本実施例に限定されることなく、例えば、大引材１１の長手方向に沿った方向に、そのブラケット４が位置するように、床支持脚２０に固定してもよく、このように固定することにより、大引材１１がその長手方向に揺れる振動を防止することができる。
また、上記した実施例では、上部ブレース固定金具１のブラケット４に９つのブレース取付孔５がマトリックス状に設けられているが、この構成は本実施例に限定されることなく、ブレース取付孔５の数は任意に設定することができる。
さらにまた、上記した実施例では、ブレース固定金具１及び下部ブレース固定金具３０を折り曲げ加工により成形した例を説明しているが、ブレース固定金具１及び下部ブレース固定金具３０の製造方法は、本実施例に限定されることなく、例えば、ブレース材を挟持するブラケット等を溶接加工で形成する等、任意の他の製造方法が用いられ得る。
また、上記した実施例では、床支持脚における大引材を支持する受け部材をＵ字形に形成した例を示しているが、床支持脚の構成は本実施例に限定されることなく任意の構成でよく、例えば、前記受け部材をＬ字状又は平板状に構成してもよい。
【００１９】
さらにまた、上部ブレース固定金具１は、図１１及び図１２に示すように、同じ側に位置する左右のブラケット４，４を連結する平板状の補強連結板６，６を有し得る。この補強連結板６は、上部ブレース固定金具１に装着した時に、そのブラケット４に形成されたブレース取付孔５と対面する位置にブレース取付孔７を有する。
これにより、これら補強連結板６と共に、ブレース材１２がブラケット４に固定されることになる。
このように左右のブラケット４，４を補強連結板６に固定することにより上部ブレース固定金具１の強度が上がり、結果として、ブレース材１２の支持強度も高くなる。
【符号の説明】
【００２０】
１  ブレース固定金具（上部）
２  支持部
２ａ  支持脚取付孔
３  鉛直面部
４  ブラケット
５  ブレース取付孔
６  連結補強痛い
７  ブレース取付孔
１０  床スラブ
１１  大引材
１２  ブレース材
１２ａ  ブレース材の側面
２０  床支持脚
２１  支持台
２２  連結部材
２３  支持ボルト
２４  支柱部
２５  受け部材
２５ａ  底板部
２５ｂ  突孔部
２６  弾性部材
２７  締結具
２８  台座部
２９  締結ナット
３０  ブレース固定金具（下部）
３１  底板部
３１ａ  取付孔
３２  フランジ部
３３  ブラケット
３３ａ  右側辺
３３ｂ  左側辺
３４  ブレース取付孔
Ｔ  ブラケット間の距離
α  ブラケット部３３の右側辺３３ａと水平線Ｈとの間の角度
β  ブラケット部３３の左側辺３３ａと水平線Ｈとの間の角度
Ｈ  水平線
【図１】
2020002691.tif 000003
【図２】
2020002691.tif 000004
【図３】
2020002691.tif 000005
【図４】
2020002691.tif 000006
【図５】
2020002691.tif 000007
【図６】
2020002691.tif 000008
【図７】
2020002691.tif 000009
【図８】
2020002691.tif 000010
【図９】
2020002691.tif 000011
【図１０】
2020002691.tif 000012
【図１１】
2020002691.tif 000013
【図１２】
2020002691.tif 000014